(57)【特許請求の範囲】
【請求項１】
溶融した合成樹脂を、金型のゲート部からキャビティに射出充填し、固化させることによって、円筒状に形成されたリムと、前記リムの外周面に形成された歯部と、前記リムからボスまで平円板状に延在するウェブと、を有する樹脂成形歯車を成形する樹脂成形歯車の製造方法であって、
前記金型には媒体が流れる媒体経路が形成され、
前記合成樹脂の溶融温度がＴｍ℃である時、
前記ゲート部の前記合成樹脂の固化時に、前記金型の、前記ウェブに接する位置に備えられた樹脂温度センサーによって測定した温度Ｔ１が（Ｔｍ−２０）℃以上、（Ｔｍ＋２０）℃以下であって、
前記ゲート部の前記合成樹脂の固化時の直後に成形品を取り出した時の前記歯部の表面温度Ｔ２が（Ｔ１−５０）℃以下となるように前記媒体の温度が調整されていることを特徴とする樹脂成形歯車の製造方法。
【請求項２】
前記媒体の温度は、前記ゲート部の前記合成樹脂の固化時の前記樹脂温度センサーの温度と、前記ゲート部の前記合成樹脂の固化直後に型開し取出した成形品の表面の温度と、を予め測定しておき、前記測定した温度に基づいて調整されていることを特徴とする請求項１記載の樹脂成形歯車の製造方法。
【請求項３】
前記合成樹脂として、ポリアセタール、ポリアミド６、ポリブチレンテレフタレート、ポリエチレン、ポリプロピレンのいずれか一つが用いられることを特徴とする請求項１または２記載の樹脂成形歯車の製造方法。
【発明の詳細な説明】
【技術分野】
【０００１】
本発明は、射出成形による樹脂成形歯車の製造方法に関する。特に、ウェブおよびリムを有し歯部が成形品外周部に配設された樹脂成形歯車を、射出成形工程において歯車の所定箇所の樹脂温度に温度範囲を設けることにより、歯部の変形、寸法バラツキおよび収縮の増大を抑制し、高精度に製造する技術に関するものである。
【背景技術】
【０００２】
樹脂成形歯車は、複写機、プリンター等のＯＡ機器、インクカートリッジ等の消耗品、デジタルカメラやビデオカメラ等の小型精密機器のような広い範囲の機械製品に動力伝達部品として組み込まれている。
従来、動力伝達部品としての樹脂成形歯車は平歯車が多く使用されている。
また、低騒音性能や噛合い率の向上等の要求が強い場合には、はすば歯車が使用される。
近年では、機械製品の高機能・高品質化に伴い歯車も高精度化が求められ、歯すじ等級（ＪＩＳ  Ｂ  １７０２）および噛合い誤差（ＪＧＭＡ  １１６−０２）以外にも、真円度や同軸度などの規格も以前より小さい規格幅に設定されることが多い。
【０００３】
このような歯車の成形に用いられる樹脂には、ポリアセタール、ポリエチレン、ナイロン、ポリブタジエンテレフタレート、ポリエチレンテレフタレート、ポリプロピレンなどが挙げられる。
しかし、いずれの樹脂も溶融状態から固化状態に変態する際に体積の収縮を伴うだけでなく、保圧設定、金型温度設定あるいは樹脂温度設定などの諸条件によっては成形品の変形、ヒケなども発生し歯車精度を満足できないといった問題がある。
例えば、成形樹脂にポリアセタールを使用した場合では、同樹脂が結晶性の樹脂であるので収縮率は大きく、また結晶化時の潜熱の発生により樹脂温度が低下しにくく成形品が変形しやすいといった問題がある。この問題に対し、従来技術において金型の冷却方法を工夫し冷却性を向上する手法や、冷却工程に成形品表面を加圧することでこれら変形や収縮を抑制する手法が開示されている。
また、収縮を抑制するために歯車の部分的な箇所を所定の形状や所定の肉厚に設定するといった手法が開示されている。
【０００４】
例え、ば特許文献１では、可動側駒金型駒に歯車歯部と同心円状の凹形状部が設けられ、固定側金型駒には金型が閉じた際に可動側凹形状部と合致することができるような同形状の凸部が設けられている。
この凸部内にやはり歯部と同心円状の冷却媒体経路を配設することで歯車歯部の冷却性を向上させる技術が開示されている。
また、特許文献２では、射出成形の工程内に、保圧工程以外に金型に取り付けられた加圧機構を用いて歯車形状部の一部を加圧する工程を設けることで、形状や寸法精度向上させた高精度な樹脂成形歯車を提供する技術が開示されている。
また、特許文献３では、ウェブおよびリムを有し歯部が成形品外周部に配設された樹脂成形歯車において、リムおよびウェブの肉厚を歯のピッチ円歯厚に対してある範囲の比率にすることで高精度歯車を得る技術が開示されている。
【先行技術文献】
【特許文献】
【０００５】
【特許文献１】特開２００７−１３０９０２号公報
【特許文献２】特開２００２−２３５８３５号公報
【特許文献３】特開平１１−１３８６１号公報
【発明の概要】
【発明が解決しようとする課題】
【０００６】
歯車の成形には必ず収縮が伴い、収縮量や収縮傾向によって歯車の精度に影響を与えることが分かっている。
また、収縮だけでなく変形や寸法のバラツキも歯車精度に影響することも分かっている。
射出成形において収縮を抑える手段は幾つか挙げられる。その中でも最も影響の度合いの大きなものは、（１）成形品肉厚、（２）ゲート寸法、（３）射出圧力、（４）スクリュー前進時間、（５）金型温度の五つである。
しかしながら、（１）および（２）に示す内容は成形品の使用目的によっては変更することが難しい場合がある。
そこで一般的に収縮軽減を図る手段として用いられるのは（３）〜（５）に示される、成形条件の変更によるものが多い。
【０００７】
以下に射出圧力、スクリュー前時間、金型温度の収縮率との関係について具体的に説明する。
射出圧力：射出圧力が高いほど収縮率は小さくなる。
しかし、高射出圧力をかけても、キャビティ内に伝達される圧力は途中の圧力損失の度合いによって異なる。そのため、最も樹脂流動距離の長い最終充填部近傍で最も圧力損失が大きくなり、同箇所では収縮量が増大するだけでなく、寸法のバラツキなどが生じやすくなる。
スクリュー前進時間：射出圧力がキャビティ内の樹脂を圧縮し続けている時間、すなわちスクリューまたはプランジャーが前進し始めてから、後退を開始するまでの時間をスクリュー前進時間ということとする。
スクリュー前進時間がゲート固化時間まで加わっていれば収縮率は最も小さくなるが、ゲート固化時間より短い場合では収縮率は増大する。
金型温度：金型温度が低下するほど収縮率は小さくなる。
しかし、金型温度が低くなるほど樹脂流動過程での圧力損失は大きくなり、キャビティ内での伝達圧力にバラツキが生じる。
また、流動性悪化に伴い表面性状の悪化を生じることもある。
つまり、収縮現象はキャビティ内の圧力状態および金型温度状態に大きく依存していることが分かる。また、この二つの状態は収縮だけでなく変形や寸法バラツキにも大きく影響している。
【０００８】
つぎに、図２に示すような歯車を例に挙げ、キャビティ内圧力状態および金型温度状態の影響を詳しく説明する。
１１は円筒状に形成されたリム、１２はリムの外周面に該リムの円筒状の中心軸１５から外方向に形成された歯、１３はリムの内周面に接合し中心軸の方向に平円板状に延在するウェブ、１４はウェブに接合し中心軸の心部に形成されたボス、１６はゲートである。
キャビティ内の加圧が高いほど収縮率は小さくなり、寸法のバラツキも小さくなるので射出圧力は高い方が有効となる。
しかし、キャビティ内に樹脂が充填した後、シリンダー前進による加圧工程において、ボスあるいはウェブ部分で樹脂の固化が進むと、圧力の伝播経路が最も長いリムおよび歯部の加圧状態は減衰することになる。結果、ゲートが固化するまでに十分な加圧性を維持する事が出来なくなり、リブおよび歯部に寸法のバラツキや変形などの問題を生じる。
加圧状態の減衰を抑制するために金型温度を上げる手段が用いられる。つまり、高型温によりボスおよびウェブ部分での固化状態への移行を遅延させ、ゲート固化時間まで加圧状態を維持する方法である。
しかし、先に述べたように、金型温度が高い場合では成形品収縮率が増大し、結果として歯車精度が低下するといった問題が生じる。
【０００９】
上記の特許文献１では、媒体経路を有した嵌め込み式の駒によって歯部の冷却性を向上させる手法が開示されているが、歯車の加圧状態は考慮されておらず寸法バラツキや変形などの問題を改善することは難しい。また、金型の耐久性や金型製作上の問題を多く含んでいる。
また、上記特許文献２では、加圧機構を用いることで歯車精度の向上を図る手法が開示されているが、金型構造が複雑になり金型の製作が困難になる上、成形工程が増大するといった問題が生じている。
また、上記特許文献３では、歯車形状を変更することによってヒケや変形を抑制する手法が開示されている。しかし、肉厚などの形状を変更することによって、歯車自身の強度、耐久性が著しく変化するといった問題を生じる。
【００１０】
本発明は、上記課題に鑑み、収縮による歯車精度の悪化を伴うことなく、歯部への加圧状態を維持することが可能となる射出成形による樹脂成形歯車の製造方法を提供することを目的とする。
【課題を解決するための手段】
【００１１】
本発明の樹脂成形歯車の製造方法は、溶融した合成樹脂を、金型のゲート部からキャビティに射出充填し、固化させることによって、円筒状に形成されたリムと、前記リムの外周面に形成された歯部と、前記リムからボスまで平円板状に延在するウェブと、を有する樹脂成形歯車を成形する樹脂成形歯車の製造方法であって、前記金型には媒体が流れる媒体経路が形成され、前記合成樹脂の溶融温度がＴｍ℃である時、前記ゲート部の前記合成樹脂の固化時に、前記金型の、前記ウェブに接する位置に備えられた樹脂温度センサーによって測定した温度Ｔ１が（Ｔｍ−２０）℃以上、（Ｔｍ＋２０）℃以下であって、前記ゲート部の前記合成樹脂の固化時の直後に成形品を取り出した時の前記歯部の表面温度Ｔ２が（Ｔ１−５０）℃以下となるように前記媒体の温度が調整されていることを特徴とする。
【発明の効果】
【００１２】
本発明によれば、収縮による歯車精度の悪化を伴うことなく、歯部への加圧状態を維持することが可能となる射出成形による樹脂成形歯車の製造方法を実現することができる。
【図面の簡単な説明】
【００１３】
【図１】本発明の実施の形態における射出成形による樹脂成形歯車の製造方法を説明するための成形中の温度履歴を表す図。
【図２】本発明の実施の形態における射出成形による樹脂成形歯車の製造方法を説明するための樹脂成形歯車の一例を表す概略断面図。
【図３】本発明の実施の形態における樹脂成形歯車を成形する射出成形金型の概略断面図。
【図４】本発明の実施の形態の射出成形による樹脂成形歯車の製造方法と従来技術による成形品の歯車精度の差異を説明するための成形中の温度および圧力履歴を表す図。
【図５】本発明の実施の形態の射出成形による樹脂成形歯車の製造方法と従来技術による成形品の歯車精度の差異を説明するための樹脂成形歯車の歯部の変形を表す概略図。
【図６】本発明の実施の形態の射出成形による樹脂成形歯車の製造方法と従来技術による成形品の歯車精度の差異を説明するための樹脂成形歯車の歯形形状測定箇所を表す図。
【図７】本発明の実施の形態の射出成形による樹脂成形歯車の製造方法と従来技術による成形品の歯車精度の差異を説明するための樹脂成形歯車の歯の収縮を表す図。
【発明を実施するための形態】
【００１４】
本発明は、成形工程内における、射出成形機のシリンダーあるいはプランジャーの前進開始からゲートが固化するまでのキャビティ内への加圧が有効な期間で、所定箇所の樹脂温度に範囲を設けるものである。
一つは樹脂成形歯車のウェブ部の肉厚中心部であり、ゲート固化時の樹脂温度Ｔ１を樹脂の溶融温度Ｔｍ℃に対し（Ｔｍ−２０）℃以上とする。
これによりリムおよび歯部への圧力伝播経路であるウェブが完全固化しないので、加圧が有効な期間でリムおよび歯部への加圧性の減衰が抑制され、同箇所における寸法のバラつきや変形を抑えることが可能となる。
また、ゲート固化時のＴ１が（Ｔｍ＋２０）℃以下とすることによりキャビティ内の成形品表面温度を溶融温度Ｔｍ℃以下に冷却する工程を短く設定することができ、成形サイクルが短縮され低コストで成形製造することが可能となる。また、歯部の表面温度にも範囲を設ける。
ゲート固化時の歯部表面温度Ｔ２を（Ｔ１−５０）℃までに急冷することで歯部の収縮を最小限に抑えることができ、高精度な歯車形成が可能となる。
【００１５】
以下に、本発明の実施形態における合成樹脂を用いて射出成形によって一体成形する樹脂成形歯車の製造方法について、図を用いて説明する。
図１は、成形中の温度履歴であり、成形中の時間経過に伴う成形品所定箇所の樹脂温度の変化を表している。
１は樹脂成形歯車のウェブ部肉厚中心の樹脂温度履歴、２は歯部表面の温度履歴である。
図２は、樹脂成形歯車の一例を示した断面図である。
１１は円筒状に形成されたリムであり、ギアの中心軸に対して同心円状に構成される。
１２は歯部であり、リムの中心軸からみて外周上に接合されている。すなわち、リムの外周面に円筒の中心軸から外方向に形成されている。
１３はウェブであり、リムの内周面から軸方向に平円板状に延在している。１４は中心軸の心部に形成されたボスであり、ウェブの少なくとも一部に接合している。
１６はゲート部であり、ボスの端部に配設されている。樹脂成形歯車は主に結晶性樹脂であるポリアセタールによって製造される事が多く、旭化成ケミカルズ社製テナック（登録商標）などを用いて射出成形により製造される。
【００１６】
図３は、樹脂成形歯車を成形する射出成形金型の概略断面図である。
図３に示すように射出成形用金型２０は、固定側金型２４に歯車形成駒５１および５２を備え、歯車形成駒５１は歯車の外周部を、歯車形成駒５２はウェブと歯車内周部およびボスを形成する。
さらに、歯車形成駒５２はゲート３２を有し、また温調媒体経路２１を有し駒の温度を単独に変更することが可能である。
可動側金型２５は歯車形成駒５３、５４および５５を備え、歯車形成駒５３はウェブと歯車の内周部およびボスを形成し、歯部に接する箇所に内圧センサー４２を、ウェブに接する箇所に樹脂温度センサー４１を備える。
さらに、歯車形成駒５３は温調媒体経路２２を有し、駒の温度を単独に変更することが可能である。歯車形成駒５４は歯部を形成する。また、歯車形成駒５５は歯車の中心軸の軸孔を形成する。
【００１７】
つぎに、本実施形態における射出成形による樹脂成形歯車の製造方法の一例について、図１を用いて説明する。
図１におけるａは射出開始時間、ｂはゲートが固化した時間、ｃはシリンダー前進終了時間、ｄは冷却終了時間を示したものである。
ゲート固化時間ｂがシリンダー前進終了時間ｃ以内に行われるように、時間ｃを設定する。
時間ａにおいて金型キャビティ内に溶融樹脂が射出充填され、その後シリンダー前進によりキャビティ内の樹脂は加圧される。
その後、時間ｂのゲート固化に伴いキャビティ内への加圧力の伝播は遮断されるが、この時点でのウェブ肉厚中心温度Ｔ１が使用樹脂の溶融温度Ｔｍ℃に対して（Ｔｍ−２０）℃以上、（Ｔｍ＋２０）℃以下になるように設定する。
例えば、溶融温度１５０℃である場合は１３０℃以上、１７０℃以下とする。
このとき、ウェブ肉厚中心温度Ｔ１は図３における樹脂温度センサー４１によって測定し媒体経路２１および２２を流れる媒体温度によって変動させる。
次に、同時点における歯部表面温度Ｔ２を（Ｔ１−５０）℃以下になるように設定する。
例えば、先に設定されたウェブ肉厚中心温度Ｔ１が１３０℃であった場合歯部表面温度は８０℃以下になるようにする。
このときの歯部表面温度Ｔ２はゲート固化時間ｂ直後に成形品を取り出し、赤外線カメラ等によって表面温度を測定し、測定結果に基づいて金型媒体経路２３を流れる媒体温度を変更することによって調整する。
次に、冷却終了時間ｄ時点における成形品表面温度を溶融温度Ｔｍ温度以下になるように冷却終了時間ｄおよび金型媒体経路２３の媒体温度を調整する。
例えば、溶融温度１５０℃の樹脂を使用した場合ではｄ時点での成形品温度が１５０℃以下になるようにする。
成形品表面温度は赤外線カメラ等を用いて測定し、歯部表面温度Ｔ２の温度条件を満足する媒体経路２３の媒体温度を設定し、且つ冷却終了時間ｄを設定する。
【００１８】
ここで、本実施形態の製造方法による成形品と従来技術による成形品の歯車精度の差異を、図４、図５、図６及び図７を用いて説明する。
図４は、内圧センサー４２によって計測された歯部の内圧力３とウェブ部の肉厚中心温度１の経過時間に伴う履歴を示したものである。
本実施形態の射出成形による樹脂成形歯車の製造方法は、射出成形機に有するシリンダーあるいはプランジャーが前進し、キャビティ内へ樹脂が充填し始める時間ａからゲートが固化する時間ｂまでの期間における所定箇所の温度状態を定義したものである。
本実施形態の上記製造方法に従い、樹脂成形歯車のウェブ部の肉厚中心温度Ｔ１を（Ｔｍ−２０）℃以上に設定することにより、時間ｂまでリムおよび歯部への圧力伝播経路であるウェブが完全固化しなくなる。
これにより、シリンダーあるいはプランジャーの射出開始時間ａからゲート固化時間ｂまでの、加圧が有効な期間内におけるリムおよび歯部への加圧の減衰が抑制される。
つまり、充填直後のピーク内圧力Ｐｍａｘと時間ｂでの内圧力Ｐｂの差が小さくなる。
【００１９】
図５は図２に示す歯車において、歯部が軸中心方向に倒れ変形した時の最終的な形状１７を倒れ量ｒと併せて表したものである。
この倒れ変形量ｒは時間ｂにおける内圧力Ｐｂの値が大きい場合ほど小さくなり、倒れ変形が抑えられるということが実験により明らかとなった。
図６は図２に示す歯車の一歯を抜き出しその歯における歯形測定箇所を示したものである。
ウェブ面に近いところから測定箇所４、測定箇所５、測定箇所６となっており、ゲートからの流動長が最も長くなる箇所は測定箇所６近傍となる。
４、５、６それぞれの歯形形状は時間ｂにおける内圧力Ｐｂの値が大きい場合ほどバラツキが減少し、歯部の寸法も安定することが実験によってわかった。
また、Ｔ１を（Ｔｍ＋２０）℃以下に設定しておくことによって必要以上な樹脂温上昇を伴わないので、成形品取り出し後のウェブ部近傍でのヒケの発生を抑制することが出来るので精度の向上につながる。
さらに、冷却終了時間ｄの設定を必要最小限に設定する事が出来るのでサイクルの延長を伴わず、低コスト成形が可能となる。
【００２０】
また、本実施形態の成形方法によれば、歯部の表面温度Ｔ２を加圧が有効な期間内にウェブ肉厚中心樹脂温度Ｔ１よりも５０℃以上温度差が付くように冷却することで歯部の収縮挙動を抑制する特徴がある。
図７は歯車一歯の収縮傾向を示したものである。
歯部の表面温度が高い場合、１８に示すように歯先部分で収縮が増大することが実験により分かった。
また、図２に示すｐは歯部の歯外径寸法を、ｑは歯幅寸法を示したものであるが、どちらの寸法も歯部表面温度が上昇するにつれて減少することが実験によって明らかとなった。
つまり、歯部表面温度Ｔ２の温度を低温にすることによって歯部近傍の一連の収縮挙動を抑制し、高精度な歯車成形が可能となる。
【実施例】
【００２１】
［実施例１］
実施例１として、本発明を適用した射出成形による樹脂成形歯車の製造方法の構成例について説明する。
本実施例では、樹脂材料として、溶融温度Ｔｍが１５０℃である旭化成ケミカルズ社製テナック（登録商標）ＨＣ７５０を用いた。
時間ｂにおけるウェブの肉厚中心温度Ｔ１を樹脂溶融温度Ｔｍ℃に対し（Ｔｍ−２０）℃以上、（Ｔｍ＋２０）以下になるように媒体経路２１および２２に流れる媒体温度を調整させた時、歯部における圧力傾向と形状変形の関係を以下の表１に示す。
実施例１−１、および以下で説明する実施例１−２、実施例１−３では、時間ｂにおけるＴ１温度を１３０℃以上、１７０℃以下になるように設定した。
実施例１−１のＴ１温度は下限となる１３０℃、実施例１−３のＴ１温度は上限となる１７０℃となっている。
また、比較例１−１および比較例１−２は本発明におけるＴ１温度設定範囲に含まれない例を示したものである。
［表１］時間ｂにおけるウェブ肉厚中心温度と圧力傾向および形状変形の関係
0005812724.tif 000002
【００２２】
以上のように、時間ｂにおけるウェブ肉厚中心温度Ｔ１を本実施例の温度範囲に設定することで、歯部に加わる圧力ピークＰｍａｘと時間ｂにおける減衰後の圧力Ｐｂの差を小さくすることが可能となった。
このように時間ａから時間ｂまでの圧力の減衰を抑えることによって歯部の倒れ量ｒも小さくすることが可能となり、歯部の変形をも抑制される。
また、加えて図６に示される歯形形状４、５、６それぞれの形状バラツキも小さくなり、高精度な歯車が成形される。
一方、比較例１−１および比較例１−２はＴ１の温度範囲を満足しておらず、歯部における圧力減衰も大きく、その減衰量に伴い歯部の倒れ量ｒと歯形形状のバラツキの増大を招いている。
【００２３】
また、時間ｂにおいて歯部の表面温度Ｔ２が（Ｔ１−５０）℃以下になるように媒体経路２３に流れる媒体温度を調整した時、歯部における収縮傾向の関係を以下の表２に示す。
実施例１−４および実施例１−５はＴ１温度が１３５℃であったとき、Ｔ２温度が８５℃以下になるように設定した。
実施例１−５はＴ２温度範囲の上限に設定した例である。
また、比較例１−３および比較例１−４は本実施例におけるＴ２温度範囲に含まれない例を示したものである。
表２に示すように、時間ｂにおける歯部表面温度Ｔ２を本実施例の温度範囲に設定することによって図７に示す歯先の収縮傾向１８の収縮傾向が抑制されることがわかった。
また、歯車歯部の歯幅寸法ｑ及び歯外径寸法ｐも収縮量が小さくなっている。一方、比較例３および４は時間ｂにおける歯部表面温度が高いため、歯先の収縮傾向が増大しただけでなく、歯幅および歯外径の収縮量も増大している。
［表２］時間ｂにおける歯部表面温度と歯部収縮傾向の関係
0005812724.tif 000003
【００２４】
時間ｂにおけるウェブ肉厚中心温度Ｔ１および歯部表面温度Ｔ２を本実施例の温度範囲に設定した場合の実施例１−６と、本実施例の温度範囲から外れる比較例１−５および比較例１−６で成形された歯車の精度への影響を表３に示す。
［表３］時間ｂにおけるＴ１およびＴ２温度による歯車精度への影響
0005812724.tif 000004
【００２５】
比較例１−５は金型全体が低温状態になっている一例であり、Ｔ１温度が本実施例の温度範囲の下限を下回り、且つＴ２温度も本発明温度範囲内にない。
また、比較例１−６は金型全体が高温状態になっている一例であり、Ｔ１温度は本実施例の温度範囲内にあるがＴ２温度が本実施例の温度範囲に該当していない。
表３に示すように、実施例１−６による歯車の歯すじ誤差および噛合い誤差は比較例１−５および比較例１−６で成形された歯車よりも高精度になっている。
比較例１−５ではウェブ肉厚中心温度Ｔ１が低いことによって歯部での形状変形が大きくなったため精度が悪化したものであり、比較例１−６は歯部表面温度Ｔ２が高いことによって歯部全体の収縮挙動が顕著になったための精度悪化である。
実施例１−６はいずれの精度悪化要因も排除されて成形されたものであり、高精度な歯車成形が可能となっている。
【００２６】
［実施例２］
樹脂材料にポリアセタール樹脂以外の樹脂を採用して本発明の成形方法を用いて成形を行った。
使用樹脂は、東レ社製アミラン（登録商標）のポリアミド６（ＰＡ６）、ポリプラスチック社製ジュラネックス（登録商標）のポリブチレンテレフタレート（ＰＢＴ）、
旭化成ケミカルズ社製サンテック（登録商標）のポリエチレン（ＰＥ）、日本ポリプロ社製ノバテック（登録商標）のポリプロピレン（ＰＰ）を用いた。
本発明の温度範囲に設定した実施例２と、温度範囲から外れている従来の成形条件で成形された比較例２における歯車精度への影響を表４に示す。
［表４］ＰＡ６、ＰＢＴ、ＰＥ，ＰＰにおける実施例と精度比較
0005812724.tif 000005
【００２７】
比較例２ではいずれの樹脂を用いた時も、Ｔ１温度Ｔ２温度のどちらか一方が、あるいは両方が本実施例の温度範囲から外れた状態となっている。
結果、成形された歯車精度は比較例２と本発明に沿った実施例２とでは明らかな差異が生じており、どの樹脂を用いた場合でも実施例２の歯車精度の方が優秀な結果を示している。
【符号の説明】
【００２８】
１：ウェブ肉厚中心の温度履歴
２：歯部表面の温度履歴
ａ：射出開始時間
ｂ：ゲート固化時間
ｃ：シリンダー前進終了時間
ｄ：冷却終了時間
Ｔ１：時間ｂにおけるウェブ肉厚中心温度
Ｔ２：時間ｂにおける歯部表面温度
Ｔｍ：溶融温度またはガラス転移温度
【図１】
0005812724.tif 000006
【図２】
0005812724.tif 000007
【図３】
0005812724.tif 000008
【図４】
0005812724.tif 000009
【図５】
0005812724.tif 000010
【図６】
0005812724.tif 000011
【図７】
0005812724.tif 000012